(57)【要約】【課題】簡単な構成で、各方向にグレアが生じ難い所望の配光特性を得ることができる照明器具を提供する。【解決手段】照明器具１は、直線Ｌに沿って並設された複数のＬＥＤ素子３と、ＬＥＤ素子３の照射方向（下方）に設けられたプリズム４とを備える。プリズム４のＬＥＤ素子３との対向側は、平坦面とされる。プリズム４の照射方向側は、前記直線Ｌに沿った方向から見て中央が膨出した湾曲面４ｂとされつつ、その湾曲面４ｂが前記直線Ｌに沿ってＬＥＤ素子３に対する（上下方向の）距離が連続的に変化して凹凸を繰り返す形状とされる。【選択図】図１
2012150989.tif 000002
【特許請求の範囲】
【請求項１】
直線に沿って設けられる光源と、
前記光源の照射方向に設けられたプリズムと
を備えた照明器具であって、
前記プリズムの前記光源との対向側は、平坦面とされ、
前記プリズムの前記照射方向側は、前記直線に沿った方向から見て中央が膨出した湾曲面とされつつ、その湾曲面が前記直線に沿って前記光源に対する距離が連続的に変化して凹凸を繰り返す形状とされたことを特徴とする照明器具。
【請求項２】
請求項１に記載の照明器具において、
前記凹凸を繰り返す形状は、凸部に頂角が対応し底角が１５°〜３０°に設定された断面二等辺三角形状を繰り返す形状とされたことを特徴とする照明器具。
【請求項３】
請求項１又は２に記載の照明器具において、
前記プリズムは、前記直線に沿った方向に複数のプリズムブロックを連結してなることを特徴とする照明器具。
【請求項４】
請求項３に記載の照明器具において、
前記光源の長さに応じた長さに形成され、複数の前記プリズムブロックを連結して保持可能な保持部材を備えたことを特徴とする照明器具。
【発明の詳細な説明】
【技術分野】
【０００１】
本発明は、主に天井等に固定される照明器具に関するものである。
【背景技術】
【０００２】
従来から天井等に固定される照明器具では、ディスプレイへの映り込み等を低減すべく、反射板やルーバー等によって、水平に近い範囲（例えば水平から３０°以内の範囲）に出射される光の量を極少なくする所謂グレアカットを行うようにしている。
【０００３】
又、照明器具としては、直線に沿って並設されたＬＥＤ素子と、その照射方向に設けられたプリズムとを備え、プリズムの照射方向側を、ＬＥＤ素子が並ぶ方向（前記直線）に沿って凹凸を繰り返す形状としたものがある（例えば、特許文献１参照）。この照明器具では、ＬＥＤ素子の照射方向に設けられたプリズムによって、出射される光の指向性が高められる（つまりグレアカットが可能となる）。
【先行技術文献】
【特許文献】
【０００４】
【特許文献１】特開２００４−１９１７１８号公報（図９参照）
【発明の概要】
【発明が解決しようとする課題】
【０００５】
しかしながら、光源が直線に沿って設けられたもの（例えば、直線状に並設されたＬＥＤ素子からなるものや棒状の蛍光灯からなるもの）の場合、反射板やルーバー等によってグレアカットを行うものでは、それらの組み合わせが複雑化してしまうことになる。このことは、例えば、部品点数が増加したり、組み付け工数が増加してしまう原因となる。
【０００６】
又、プリズムの照射方向側をＬＥＤ素子が並ぶ方向に沿って凹凸を繰り返す形状としたものでは、ＬＥＤ素子が並ぶ方向における光の指向性は高まるものの、その直交方向においては特に光の指向性が高められず、例えばグレアカットができないという問題がある。言い換えると、ＬＥＤ素子が並ぶ方向と直交する方向には、水平に近い範囲（例えば水平から３０°以内の範囲）にも多くの光が出射されてしまい、ディスプレイへの映り込み等、グレアが生じ易くなってしまう。
【０００７】
本発明は、上記課題を解決するためになされたものであって、その目的は、簡単な構成で、各方向にグレアが生じ難い所望の配光特性を得ることができる照明器具を提供することにある。
【課題を解決するための手段】
【０００８】
本発明の照明器具は、直線に沿って設けられる光源と、前記光源の照射方向に設けられたプリズムとを備えた照明器具であって、前記プリズムの前記光源との対向側は、平坦面とされ、前記プリズムの前記照射方向側は、前記直線に沿った方向から見て中央が膨出した湾曲面とされつつ、その湾曲面が前記直線に沿って前記光源に対する距離が連続的に変化して凹凸を繰り返す形状とされたことを特徴とする。
【０００９】
この照明器具においては、前記凹凸を繰り返す形状は、凸部に頂角が対応し底角が１５°〜３０°に設定された断面二等辺三角形状を繰り返す形状とすることが好ましい。
この照明器具においては、前記プリズムは、前記直線に沿った方向に複数のプリズムブロックを連結してなることが好ましい。
【００１０】
この照明器具においては、前記光源の長さに応じた長さに形成され、複数の前記プリズムブロックを連結して保持可能な保持部材を備えることが好ましい。
【発明の効果】
【００１１】
本発明によれば、簡単な構成で、各方向にグレアが生じ難い所望の配光特性を得ることができる照明器具を提供することができる。
【図面の簡単な説明】
【００１２】
【図１】本実施形態における照明器具の概略構成を示す斜視図。
【図２】（ａ）本実施の形態において天井等に固定されたプリズムを下方から見た図。（ｂ）同じくプリズムを水平方向の一方から見た図。（ｃ）同じくプリズムを水平方向の他方から見た図。
【図３】本実施の形態において出射される光を模式的に示す模式図。
【図４】本実施の形態において出射される光を模式的に示す模式図。
【図５】本実施の形態における配光特性図。
【図６】本実施の形態における配光特性図。
【図７】別例におけるプリズムを説明するための斜視図。
【図８】別例における照明器具を説明するための斜視図。
【発明を実施するための形態】
【００１３】
以下、本発明を具体化した一実施の形態を図１〜図６に従って説明する。
図１に示すように、天井等に固定される本実施の形態の照明器具１は、天井等に固定される基板２と、基板２に固定されるとともに基板２を介して図示しない電源に接続される光源としての複数のＬＥＤ素子３と、天井等に固定されるプリズム４とを備える。
【００１４】
複数のＬＥＤ素子３は、それぞれの発光面３ａが下方を向くように設けられるとともに、基板２の長手方向の直線Ｌに沿って等間隔に並設されている。
プリズム４は、一般的な材料であって、例えば透明なアクリル樹脂やガラスや石英ガラスやポリカーボネート樹脂やポリスチレン樹脂やシリコーン樹脂等、その屈折率が１．４６〜１．６１のものからなる。そして、プリズム４は、ＬＥＤ素子３の照射方向（即ち下方）に配置されるように、下方から見て前記基板２（ＬＥＤ素子３を含む）を覆うように形成されて天井等に固定される。
【００１５】
このプリズム４のＬＥＤ素子３との対向側（上方側）は、図２（ｂ），（ｃ）に示すように、平坦面４ａとされている。
又、プリズム４の照射方向側（下方側）は、図１及び図２に示すように、前記直線Ｌ（図１参照）に沿った方向（ＬＥＤ素子３が並設される方向）から見て（図２（ｃ）参照）中央が膨出した湾曲面４ｂとされている。又、前記湾曲面４ｂは、前記直線Ｌに沿ってＬＥＤ素子３に対する（上下方向の）距離が連続的に変化して凹凸を繰り返す形状（図２（ｂ）参照）とされている。本実施の形態の凹凸を繰り返す形状は、図２（ｂ）に示すように、凸部４ｃに頂角が対応し底角θが１５°〜３０°に設定された断面二等辺三角形状を繰り返す形状とされている。又、本実施の形態の湾曲面４ｂは、ＬＥＤ素子３よりも上方の（前記直線Ｌと平行な）仮想の中心軸を中心とした円弧面であって、その半径を小さくすると集光性が上がり、その半径を大きくすると集光性が下がることになる。
【００１６】
このように構成された照明器具１では、図３及び図４に示すように、前記ＬＥＤ素子３から光Ａが出射されると、前記プリズム４にて屈折された光Ｂが下方に出射されることになる。
【００１７】
次に、上記実施の形態の特徴的な効果を以下に記載する。
（１）光源は直線Ｌに沿って並設された複数のＬＥＤ素子３であり、プリズム４のＬＥＤ素子３との対向側は、平坦面４ａとされる。又、プリズム４の照射方向側は、前記直線Ｌに沿った方向から見て中央が膨出した湾曲面４ｂとされつつ、その湾曲面４ｂが前記直線Ｌに沿ってＬＥＤ素子３に対する（上下方向の）距離が連続的に変化して凹凸を繰り返す形状とされている。
【００１８】
よって、前記直線Ｌに沿った方向（凹凸を繰り返す方向）においては、図３に示すように、凹凸を繰り返す形状にて、水平に近い範囲（例えば水平から３０°以内の範囲）には光が出射され難くなり、グレアカットが行われる。尚、前記直線Ｌに沿った方向（凹凸を繰り返す方向）における（図３と対応した）配光特性は、実験では図５に示すようになり、水平から約３０°以内の範囲には光が出射され難くなっている（光度が小さくなっている）ことがわかる。
【００１９】
又、直線Ｌ（凹凸を繰り返す方向）と直交する方向においては、図４に示すように、湾曲面４ｂにて、光が集光されることで、水平に近い範囲（例えば水平から３０°以内の範囲）には光が出射され難くなり、ひいてはグレアカットが行われていることになる。尚、直線Ｌ（凹凸を繰り返す方向）と直交する方向における（図４と対応した）配光特性は、実験では図６に示すようになり、水平から約４０°以内の範囲には光が出射され難くなっている（光度が小さくなっている）ことがわかる。これらのことから、特に反射板やルーバー等を複雑に組み合わせることなく簡単な構成で、各方向にグレアが生じ難い所望の配光特性を得ることができる。
【００２０】
又、前記直線Ｌに沿った方向に一様に凹凸を繰り返す形状であるため、美観も良好となる。
（２）凹凸を繰り返す形状を、凸部４ｃに頂角が対応し底角θが１５°〜３０°に設定された断面二等辺三角形状を繰り返す形状としたため、水平から２０°以内〜３０°以内の範囲に光が出射され難くすることができ、好適にグレアカットを行うことができる。尚、この効果は、プリズム４が例えば一般的な材料である透明なアクリル樹脂やガラスや石英ガラスやポリカーボネート樹脂やポリスチレン樹脂やシリコーン樹脂からなる等、その屈折率が１．４６〜１．６１である場合に得ることができる。
【００２１】
上記実施の形態は、以下のように変更してもよい。
・上記実施の形態では、特に言及していないが、プリズム４には天井等に固定するための固定部を設けることが好ましく、例えば、図７に示すように、プリズム４におけるＬＥＤ素子３との対向側に固定用延設部４ｄを延設してもよい。尚、この例（図７参照）の固定用延設部４ｄは、湾曲面４ｂの両端から延設され、プリズム４は湾曲面４ｂの両端側で例えば図示しない固定部材等を介して天井等に固定される。又、この固定用延設部４ｄは、プリズム４に一体成形してもよいし、別の材料で成形した後に接着等により固定して設けてもよい。
【００２２】
・上記実施の形態のプリズム４を、図８に示すように、前記直線Ｌに沿った方向に複数のプリズムブロック１１を連結してなるものとしてもよい。この例（図８参照）における各プリズムブロック１１は、それぞれ上記した固定用延設部４ｄを有する。又、この照明器具は、複数のプリズムブロック１１を連結して保持可能な保持部材１２を備える。この保持部材１２は、光源（並設された複数のＬＥＤ素子３）の長さに応じた長さに形成されている。又、この例の保持部材１２は、一対が平行となるように天井等に固定されるとともに、それらが対向する側が開口した断面形状とされ、その開口の内部に固定用延設部４ｄが嵌合可能で、前記直線Ｌに沿った方向に案内可能且つ上下方向に支持可能とされている。
【００２３】
このようにすると、例えば、プリズムブロック１１の連結する数を変更するだけで、部品の種類を少なくしながら（品番が１つのプリズムブロック１１のみとしながら）前記光源の長さに応じたプリズム４を得ることができる。よって、例えば、光源の各長さに対応した各照明器具を安価に提供することができる。
【００２４】
又、上記保持部材１２を備えるため、例えば、隣り合うプリズムブロック１１同士をそれぞれの連結部分で別途連結する構成とした場合に比べて、容易に且つ整然とプリズムブロック１１を連結して設けることができる。これにより、例えば、組み付け作業時間を短縮することができる。
【００２５】
・上記実施の形態では、凹凸を繰り返す形状は、底角θが１５°〜３０°に設定された断面二等辺三角形状を繰り返す形状であるとしたが、前記直線Ｌに沿って光源に対する（上下方向の）距離が連続的に変化すれば、他の形状に変更してもよい。例えば、前記直線Ｌに沿って波状に（即ち直線でなく曲線で）凹凸を繰り返す形状としてもよい。
【００２６】
・上記実施の形態では、湾曲面４ｂは、ＬＥＤ素子３よりも上方の（前記直線Ｌと平行な）仮想の中心軸を中心とした円弧面であるとしたが、上記実施の形態と略同様に集光させることができれば、円弧面以外の湾曲面としてもよい。
【００２７】
・上記実施の形態では、直線Ｌに沿って設けられる光源を、直線Ｌに沿って等間隔に並設された複数のＬＥＤ素子３としたが、これに限定されず、例えば直線Ｌに沿って延びる棒状の蛍光灯に変更してもよい。又、直線Ｌに沿って等間隔に並設された複数のＬＥＤ素子３とプリズム４との間に蛍光体シート等の他の部材を介在させてもよい。
【００２８】
上記実施の形態から把握できる技術的思想について、以下にその効果とともに記載する。  
（イ）請求項２に記載の照明器具において、前記プリズムは、透明なアクリル樹脂、ガラス、石英ガラス、ポリカーボネート樹脂、ポリスチレン樹脂、及びシリコーン樹脂のいずれかを材料としてなることを特徴とする照明器具。
【符号の説明】
【００２９】
３…複数で光源を構成するＬＥＤ素子、４…プリズム、４ａ…平坦面、４ｂ…湾曲面、４ｃ…凸部、１１…プリズムブロック、１２…保持部材、Ｌ…直線、θ…底角。
【図１】
2012150989.tif 000003
【図２】
2012150989.tif 000004
【図３】
2012150989.tif 000005
【図４】
2012150989.tif 000006
【図５】
2012150989.tif 000007
【図６】
2012150989.tif 000008
【図７】
2012150989.tif 000009
【図８】
2012150989.tif 000010